(57)【要約】      （修正有）【課題】道糸への取付が簡単なウキ飛翔時係止具を提供する。【解決手段】ウキ飛翔時係止具１０３は、湾曲した筒状パイプ１７の上流側の端部を中心部に道糸挿通孔１８ａを形成した筒状パイプの径より大きい外径である係止玉１８、または、湾曲した筒状パイプの下流側の端部に中心部に道糸挿通孔１９ａを形成した筒状パイプ１７の外径より大きい径であるウキ止め玉１９、または、その両方を具備する。筒状パイプ１７は柔軟性のある部材からなり、係止玉の道糸挿通孔１８ａの内径は、下流側よりも上流側の内径の方が小さく、ウキ止め玉の道糸挿通孔１９ａの内径は、上流側よりも下流側の内径の方が大きいことが好ましい。【選択図】図３
0003199801.tif 000002
【実用新案登録請求の範囲】
【請求項１】
湾曲した筒状パイプの上流側の端部に中心部に道糸挿通孔を形成した前記筒状パイプの外径より大きい外径を有する係止玉を具備することを特徴とするウキ飛翔時係止具。
【請求項２】
湾曲した筒状パイプの下流側の端部に中心部に道糸挿通孔を形成した前記筒状パイプの外径より大きい外径を有するウキ止め玉を具備することを特徴とするウキ飛翔時係止具。
【請求項３】
湾曲した筒状パイプの上流側の端部に中心部に道糸挿通孔を形成した前記筒状パイプの外径より大きい外径を有する係止玉を具備し、下流側の端部に中心部に道糸挿通孔を形成した前記筒状パイプの外径より大きい外径を有するウキ止め玉を具備することを特徴とするウキ飛翔時係止具。
【請求項４】
前記筒状パイプは柔軟性のある部材からなることを特徴とする請求項１乃至３のいずれかに記載のウキ飛翔時係止具。
【請求項５】
前記係止玉の道糸挿通孔の内径は、下流側よりも上流側の内径の方が小さいことを特徴とする請求項１又は３のいずれかに記載のウキ飛翔時係止具。
【請求項６】
前記ウキ止め玉の道糸挿通孔の内径は、上流側よりも下流側の内径の方が大きいことを特徴とする請求項２又は３のいずれかに記載のウキ飛翔時係止具。
【請求項７】
前記湾曲した筒状パイプ、係止玉、ウキ止め玉の少なくとも１つが合成樹脂であることを特徴とする請求項１乃至６のいずれかに記載のウキ飛翔時係止具。
【考案の詳細な説明】
【技術分野】
【０００１】
この考案は、ポイントへ正確にキャスティング出来る釣り方法に用いるウキ飛翔時係止具に関する。
【背景技術】
【０００２】
この考案の出願人は、先に海釣りなどで遠投ウキ仕掛けを準備した釣り具を釣りのポイントへ正確なキャスチィングすることができ、且つ、キャスチィングに要する労力が少なくて済む釣り方法及びこの釣り方法に欠かせないウキ飛翔時係止具１００に関する発明を提案した（特許文献１）。この釣り方法は、図６に示すように、竿１にリール２を固定してから道糸３を引き出してガイド４を通して出た先端からシモリ玉５、ウキ６、ウキストッパー７の順に通し、道糸３の先端にスイベル８を取り付けて、このスイベル８に釣り針１２、錘１３、撒き餌籠１４などからなる仕掛け９のスナップ１０をセットし、タナ取りの位置にウキ止め１１を固定する従来の釣り具において、前記シモリ玉５とウキ６の間の道糸３にウキの係止手段としてのウキ飛翔時係止具１００である筒状パイプ１５を介在させる釣り方法である。
【０００３】
この筒状パイプ１５は、図７に示すように、合成樹脂などからなる柔軟性のある湾曲した部材からなり、この筒状パイプ１５の中を通る道糸３がキャスティング時に、図８に示すように、前記仕掛け９にある錘１３の速力に引っ張られて生じる張力により直線飛行するが、この時に道糸３の外周面が筒状パイプ１５の湾曲した内周面と密着して摩擦抵抗が生じて道糸３に実質的に固定した状態となる。従って、飛翔時に道糸３に沿って竿１の方向へ移動するウキ６はこの筒状パイプ１５によって移動を阻止されたまま、即ちウキストッパー７に接近した位置に筒状パイプ１５をセットしておけばその位置を維持したまま着水する。
【０００４】
そして、図９に示すように、着水時にはウキ６は水面に浮いたままであり、しかも道糸３の速力がなくなり張力が緩んで前記した摩擦抵抗がなくなることから、道糸３は筒状パイプ１５に係止されることなく錘１３によって海底方向へ引っ張られるにつれてリール２から引っ張り出され続ける。そして、図１０に示すように、筒状パイプ１５がウキ止め１１に当接した時点で道糸３の引っ張り出しが止み、この時点では、ウキ６が筒状パイプ１５を介してウキ止め１１によって移動を停止して水面に浮いた状態となり、仕掛け９の釣り針１２に魚が食付いた時に上下運動する待ちの状態になっている。
【０００５】
従って、キャスティング時に、ウキ６及び筒状パイプ１５をウキストッパー７に接近させておけば、ウキ６は下流側の仕掛け９に最も近い位置で着水し、その着水した位置から上流側の竿１方向へは戻ることがないので、飛距離が少ないキャスティングができ、しかもポイントとなる海面の地点へほほ正確にキャスティングできる。
【０００６】
即ち、従来ではポイントにウキ止め１１が着水するようにキャスティングしなければならなかったので遠距離へ投げなければならなかったが、この筒状パイプ１５を使用すれば筒状パイプ１５をセットしたウキストッパー７近辺がポイントに着水するようにキャスティングすれば良いので、その分だけ、すなわちほぼタナの深さ分だけ短かくなった短距離のキャスティングでよいので、労力が少なくなり且つ距離が短い分だけ正確な位置へキャスティング出来る。
【先行技術文献】
【特許文献】
【０００７】
【特許文献１】特許第５７３０９７７号公報
【考案の開示】
【考案が解決しようとする課題】
【０００８】
しかしながら、上記の釣り方法に用いるウキ飛翔時係止具である筒状パイプ１５では、この筒状パイプ１１を道糸３にセットする作業工程が、従来より１工程といえども余分に掛るという課題がある。
【課題を解決するための手段】
【０００９】
この考案は、上記事情に鑑みてなされたものであって、その手段とするところは、請求項１においては、湾曲した筒状パイプの上流側の端部に中心部に道糸挿通孔を形成した前記筒状パイプの外径より大きい外径を有する係止玉を具備することにある。
【００１０】
請求項２においては、湾曲した筒状パイプの下流側の端部に中心部に道糸挿通孔を形成した前記筒状パイプの外径より大きい外径を有するウキ止め玉を具備することにある。
【００１１】
請求項３においては、前記湾曲した筒状パイプの上流側の端部に中心部に道糸挿通孔を形成した前記筒状パイプの外径より大きい外径を有する係止玉を具備し、下流側の端部に中心部に道糸挿通孔を形成した前記筒状パイプの外径より大きい外径を有するウキ止め玉を具備することにある。
【００１２】
請求項４においては、前記筒状パイプは柔軟性のある部材からなることにある。
【００１３】
請求項５においては、前記係止玉の道糸挿通孔の内径は、下流側よりも上流側の内径の方が小さいことにある。
【００１４】
請求項６においては、前記ウキ止め玉の道糸挿通孔の内径は、上流側よりも下流側の内径の方が大きいことにある。
【００１５】
請求項７においては、前記湾曲した筒状パイプ、係止玉、ウキ止め玉の少なくとも１つが合成樹脂であることにある。
【考案の効果】
【００１６】
上記構成からなるこの考案のウキ飛翔時係止具によると、筒状パイプの上流側の端部に中心部に道糸挿通孔を形成した係止玉を具備しているので、シモリ玉を入れる必要がなくなり釣りの準備をする際に道糸に挿通する部材を１つ減らせる利点がある。係止玉の径が筒状パイプの外形より大径である場合には、ウキ止めとの衝突時の衝撃が緩和される。
【００１７】
筒状パイプの下流側の端部に中心部に道糸挿通孔を形成したウキ止め玉を具備しているので、道糸にガイドされて上流側へと移動しようとするウキをこのウキ止め玉によって阻止し得る。筒状パイプより大径であるのでウキの衝突時の衝撃が緩和される。
【００１８】
筒状パイプの上流側の端部に中心部に道糸挿通孔を形成した係止玉を有し、筒状パイプの下流側の端部に中心部に道糸挿通孔を形成したウキ止め玉を有していれば、上記した２つの効果を同時に得られる。
【００１９】
更に、筒状パイプに柔軟性がある場合には、この柔軟性による弾性によって道糸と筒状パイプとの摩擦抵抗をより強固にすることが出来る。
【００２０】
更に又、係止玉の道糸挿通孔の内径が下流側より上流側の内径の方が小さければ、ウキ止めが小さなものの場合であっても確実にウキ飛翔時係止具を係止できるので、ウキ止めの選択の範囲が拡大する。
【００２１】
また、ウキ止め玉の道糸挿通孔の内径が上流側より下流側の方が大きい場合には、ウキとの衝突時の衝撃を緩和できる。
【００２２】
更に、筒状パイプ、シモリ玉、ウキ止め玉の素材が合成樹脂であれば、柔軟性があるので他の部材と接触した時でもクッション性があるので壊れたり傷つき難く、且つ、安価で成形加工もし易い。
【図面の簡単な説明】
【００２３】
【図１】この考案の実施形態の全体断面図
【図２】この考案の他の実施形態の全体断面図
【図３】この考案の他の実施形態の全体断面図
【図４】この考案の実施形態の使用状態の要部拡大断面説明図
【図５】この考案を用いた釣り具の全体説明図
【図６】従来の釣り具の全体説明図
【図７】従来のウキ飛翔時係止具の使用状態の
【図８】従来の道糸が投げ出されて飛翔中の説明図
【図９】着水後の時間経過後説明図
【図１０】図９から更に時間経過後の説明図
【考案を実施するための最良の形態】
【００２４】
この考案の最良の実施形態について以下図面を参照しながら説明する。この実施態様と従来の釣り具との同じ構成部材については、同符号を付してその説明を省略する。
【００２５】
この考案のウキ飛翔時係止具の実施形態は、図１に示すように、ウキ飛翔時係止具１０１の湾曲した筒状パイプ１７の上流側の端部に係止玉１８を具備するものである。筒状パイプ１７の湾曲は滑らかなカーブを描いた中空状のパイプであって、パイプの内部の中空部１７ａには道糸３が通る。湾曲の度合いは特に限定されるものではないが、滑らか過ぎると道糸３との摩擦抵抗が少なくなってウキ６を係止できなくなり、逆に大きすぎると摩擦抵抗が大きくなって道糸３の戻しができなくなるので、ウキ６の大きさや重さなどにより、又、キャスティングの強さ等によって適宜選択される。しかし、一般的には両端部における外周面の接線が交わる角度αが８０〜１６０度、好ましくは１００〜１３０度が好適である。
【００２６】
筒状パイプ１７のパイプの材質は、好ましくは透明の合成樹脂である。その種類は特に限定されないが、ある程度の柔軟性を有し且つ成形後の形状を維持できる材質のものが好ましい。しかし、木や竹などの自然物を加工して使用しても良い。筒状パイプ１７の長さは、１．５〜４ｃｍ、好ましくは２〜３ｃｍである。直径は１．５〜５ｍｍ、好ましくは２〜３ｍｍである。例外的にこれらの値を外れるものであってもこの考案の範囲に含まれるものである。又、別部材の場合には、筒状パイプ１７の肉厚分だけ道糸挿通孔１８ａ内に段差が形成されるので、道糸３を上流側から通するに際して通し難くなるので、図３に示すように、例えば筒状パイプ１の端部にテーパーを予め形成しておいても良い。
【００２７】
係止玉１８は、この形態では別部材の球体を固定したものとなっているが、一体成型したものでも良い。別部材の球体からなる場合には、材質も異なるものでも良く、例えば硬質樹脂の成形体からなるものであっても良い。玉の直径は、２〜１０ｍｍ、好ましくはパイプの直径より２〜４倍程度で、その内部には道糸挿通孔１８ａが形成されている。この道糸挿通孔１８ａの筒状パイプ１７と反対側、即ち上流側の内径は、上流側の内径よりも小さく形成されている。これによって、係止玉１８がウキ止め１１に衝突した時であっても、ウキ止め１１が道糸挿通孔１８ａに潜り込み難くなり、上流方向への移動を阻止され易くなる。又、ウキ止め１１の外周囲が係止玉１８に当接することによっても阻止される。
【００２８】
この考案のウキ飛翔時係止具の他の実施形態は、図２に示すように、ウキ飛翔時係止具１０２の筒状パイプ１７の下流側にウキ止め玉１９を具備するものである。前記係止玉１８と異なるところは、ウキ止め玉１９の内部に形成した道糸挿通孔１９ａの内径が、筒状パイプ１７側、即ち上流側が小さく下流側が大きい点である。道糸挿通孔１８ａの下流側の内径が大きいと、これがウキ６と衝突しても衝突の接触面積が大きくなって衝撃を緩和され易くなるからである。
【００２９】
この考案のウキ飛翔時係止具の更に他の実施形態は、図３に示すように、ウキ飛翔時係止具１０３の筒状パイプ１７の上流側の端部に前記係止玉１８を有し、下流側の端部に前記ウキ止め玉１９を具備するものである。この実施形態の場合には、前記２つの実施形態を合わせた利点がある。
【００３０】
上記構成からなるこの考案のウキ飛翔時係止具を用いて釣り具の準備をする手順について、従来と同じ手順についてはその説明を省略し、異なる部分についてのみ説明する。まず、ウキ飛翔時係止具１０１について異なる点は、筒状パイプ１７の上流側の端部に中心部に道糸挿通孔１８ａを形成した係止玉１８を具備しているので、この係止玉１８が従来のシモリ玉５の代わりとなり、筒状パイプ１７と係止玉１８とを同時に道糸３に取付けすることが出来る。従って釣りの準備をする際に道糸３に挿通する部材を１つ減らせその分手数が少なくなる利点がある。又、このウキ飛翔時係止具１０１の係止玉１８の径が筒状パイプ１７の外形より大径であるので、ウキ止め１１との衝突時の衝撃が緩和される。更に、上流側の道糸挿通孔１８ａの内径を下流側よりも小さくしたときには、ウキ止め１１に引っ掛かり易くなる。
【００３１】
ウキ飛翔時係止具１０２の場合にも、筒状パイプ１７の下流側の端部に中心部に道糸挿通孔１９ａを形成したウキ止め玉１９を具備しているので、一度の手間で同時に取付け出来るのに加えて、ウキ６と衝突した際にはこのウキ止め玉１９によって衝撃が緩和される利点がある。また、道糸挿通孔１９ａの下流側の内径を大きく形成したときには、その分ウキ６との衝突面積が大きくなりより衝撃を緩和することが出来る。
【００３２】
ウキ飛翔時係止具１０３の場合には、前記したウキ飛翔時係止具１０１とウキ飛翔時係止具１０２の２つの作用効果を具備する利点がある。これを道糸３に取り付けた状態を図４に示す。ウキ６とウキ飛翔時係止具１０３とは接近させておくことが望ましく、又、ウキ６はウキストッパー７とも接近させておくほうがよい。すなわち、ウキ６はウキ飛翔時係止具１０３とウキストッパー７に挟まれた状態にしてキャスティングするのが望ましい。他のウキ飛翔時係止具１０１、１０２の場合も同様である。
【００３３】
以上の説明においては、筒状パイプ１７の上流側、下流側の両端に取付ける部材は玉部材としたがこれは球体でなくても良く、例えば、筒状パイプ１７の外径よりも大きい楕円形状、ドーナツ形状などのようにキャスイティング時に道糸３が絡み難い形状のものであれば良く、従ってこの考案ではこれらの形状の部材をも含むものである。
【００３４】
また、筒状パイプ１７への係止玉１８とウキ止め玉１９の取付は、部材を接着剤で固定しても一体成型しても良い。一体成型の場合には道糸挿通孔１８ａや１９ａのように内径を小さくしたり大きくすることが出来に難いが、別部材の場合には容易に出来る。又、別部材にすることにより、筒状パイプ１７は同じ曲率半径で湾曲させた長尺なパイプを所定の長さにカットするだけで良いので、作業能率の向上を図ることが出来ることに加えて、安価に製作できる。
【産業上の利用可能性】
【００３５】
この考案のウキ飛翔時係止具は、世界中の釣り人に好適に使用されるものと確信でき、特に合成樹脂原材料製造業、漁具製造業者、漁具販売業者を潤すものと機体出来る。
【符号の説明】
【００３６】
１  竿
２  リール
３  道糸
５  シモリ玉
６  ウキ
７  ウキストッパー
９  仕掛け
１１  ウキ止め
１７  筒状パイプ
１８  係止玉
１９  ウキ止め玉
１０１、１０２、１０３  ウキ飛翔時係止具
【図１】
0003199801.tif 000003
【図２】
0003199801.tif 000004
【図３】
0003199801.tif 000005
【図４】
0003199801.tif 000006
【図５】
0003199801.tif 000007
【図６】
0003199801.tif 000008
【図７】
0003199801.tif 000009
【図８】
0003199801.tif 000010
【図９】
0003199801.tif 000011
【図１０】
0003199801.tif 000012